(57)【要約】【課題】室内を明るく照らす照明器具を提供する。【解決手段】本発明に係る照明器具９００は、ＥＦＣ型ランプ１００が装着された複数のランプ装着部２００と、平面に固着されるローゼットボディに、着脱可能に装着される本体部３００と、前記複数のランプ装着部２００と前記本体部３００とを結合する支持部５００と、を有する。前記ランプ装着部２００は、本体部３００を中心とする円周上に配置される。ＥＦＣ型ランプ１００はリモコン操作により点灯・消灯をすることができる。【選択図】図１
2009087654.tif 000002
【特許請求の範囲】
【請求項１】
ＥＦＣ型ランプが装着された複数のランプ装着部と、
平面に固着されるローゼットボディに、着脱可能に装着される本体部と、
前記複数のランプ装着部と前記本体部とを結合する支持部と、
を有することを特徴とする照明器具。
【請求項２】
前記本体部を中心とする円周上に配置されている前記ランプ装着部を有する、
ことを特徴とする請求項１記載の照明器具。
【請求項３】
前記ランプ装着部は、鉛直方向にそれぞれ異なる位置にある、上部ランプ装着部と、下部ランプ装着部と、
を有することを特徴とする請求項１又は２記載の照明器具。
【請求項４】
前記上部ランプ装着部と前記下部ランプ装着部とは、５０ｍｍ以上１００ｍｍ以下離れている、
ことを特徴とする請求項３記載の照明器具。
【請求項５】
前記ランプ装着部は円環形状である、
ことを特徴とする請求項１乃至４のいずれか１項記載の照明器具。
【請求項６】
前記ランプ装着部は、６個設けられている、
ことを特徴とする請求項１乃至５のいずれか１項記載の照明器具。
【請求項７】
リモコンからの信号を受信するリモコン受信機と、
前記信号に基づいて前記ランプ装着部の点灯・消灯を制御する点灯消灯制御部と、を前記本体部に有する、
ことを特徴とする請求項１乃至６のいずれか１項記載の照明器具。
【請求項８】
前記点灯消灯制御部は、一定時間後に前記ＥＦＣ型ランプの消灯若しくは点灯をするタイマー機能を有する、
ことを特徴とする請求項７記載の照明器具。
【請求項９】
前記信号に基づいて前記ランプ装着部の鉛直方向の位置を制御する鉛直位置制御部を、前記本体部に有する、
ことを特徴とする請求項７記載の照明器具。
【発明の詳細な説明】
【技術分野】
【０００１】
本発明は、照明器具に関する。
【背景技術】
【０００２】
照明灯として、複数の白熱電球を用いた照明器具が特許文献１に開示されている。
【０００３】
また、連設用ソケットを用いて蛍光ランプが増設できる照明器具が特許文献２に開示されている。
【０００４】
【特許文献１】特開平１１−０５３９０８号公報
【特許文献２】特開２００７−１３４０７４号公報
【０００５】
しかし、上述の照明器具では、照明の程度は十分とはいえない。
【発明の開示】
【発明が解決しようとする課題】
【０００６】
本発明は上述の問題に鑑みてなされたものであり、室内の隅々まで明るく照らすことができる照明器具を提供することを目的とする。また、照度の高い照明器具を提供することを目的とする。
【課題を解決するための手段】
【０００７】
上記目的を達成するため、この発明の照明器具は、
ＥＦＣ型ランプが装着された複数のランプ装着部と、
平面に固着されるローゼットボディに、着脱可能に装着される本体部と、
前記複数のランプ装着部と前記本体部とを結合する支持部と、を有することを特徴とする。
【０００８】
また、前記本体部を中心とする円周上に配置されている前記ランプ装着部を有する、ことも可能である。
【０００９】
また、前記ランプ装着部は、鉛直方向にそれぞれ異なる位置にある、上部ランプ装着部と、下部ランプ装着部と、を有することも可能である。
【００１０】
また、前記上部ランプ装着部と前記下部ランプ装着部とは、５０ｍｍ以上１００ｍｍ以下離れている、ことも可能である。
【００１１】
また、前記ランプ装着部は円環形状である、ことも可能である。
【００１２】
また、前記上部ランプ装着部は、６個設けられている、ことも可能である。
【００１３】
また、リモコンからの信号を受信するリモコン受信機と、
前記信号に基づいて前記ランプ装着部の点灯・消灯を制御する点灯消灯制御部と、を前記本体部に有する、ことも可能である。
【００１４】
また、前記点灯消灯制御部は、一定時間後に前記ＥＦＣ型ランプの消灯若しくは点灯をするタイマー機能を有する、ことも可能である。
【００１５】
また、前記信号に基づいて前記ランプ装着部の鉛直方向の位置を制御する鉛直位置制御部を、前記本体部に有する、ことも可能である。
【発明の効果】
【００１６】
本発明に係る蛍光ランプは、室内を明るく照らす。
【発明を実施するための最良の形態】
【００１７】
（実施形態１）
実施形態１に係る照明器具９００は、図１に示すように、ＥＦＣ型ランプ１００が装着されたランプ装着部２００と、本体部３００と、ランプ装着部２００と本体部３００とを結合する支持部５００と、を有する。
【００１８】
ＥＦＣ型ランプ１００が装着されたランプ装着部２００は、複数設けられている。
【００１９】
（実施形態２）
図２に示すように、ランプ装着部２００は、本体部３００を中心とする円周上に６個配置されている。それぞれのランプ装着部２００にはＥＦＣ型ランプ１００が装着されている。ランプ装着部２００は、本体部３００を中心とする円周上に６個配置されているから、室内をまんべんなく明るく照らす。
【００２０】
本体部３００の上部にはローゼットボディ４１０が設けられている。照明器具９００は、ローゼットボディ４１０を介して天井４２０に固着される。
【００２１】
図３に示すように、ランプ装着部２００は、本体部３００を中心とする円周上に均等な位置に６個配置されている。
【００２２】
本体部３００は、例えば鉄板又は樹脂等で形成されており、円筒形状である。支持部５００はプラスチック等で形成されており、棒状である。
【００２３】
図４に示すように、支持部５００の一方の端部は本体部３００の側面に接続されている。支持部５００の他方の端部には円筒形状の釣鐘部５１０が設けられている。釣鐘部５１０の下部にはランプ装着部２００を吊り下げる吊下部５２０が設けられている。ランプ装着部２００は、この吊下部５２０により、釣鐘部５１０に吊り下げられている。
なお、図４では、図面の理解促進のため、ＥＦＣ型ランプ１００が装着されたランプ装着部２００は、２個しか図示せず、その他は省略している。
【００２４】
ランプ装着部２００は、中空の円環形状である。ＥＦＣ型ランプ１００は、ランプ装着部２００の円環の中心付近に装着される。ランプ装着部２００が円環形状であるから、ランプ装着部２００の中にＥＦＣ型ランプ１００をスペースを有効に装着できる。図４では、ＥＦＣ型ランプ１００は点線で図示している。
【００２５】
ＥＦＣ型ランプ１００は、図５（ａ）及び（ｂ）に示されるように、環状のランプ部１２０と、ランプ部１２０の環の中心に位置する円筒形状のランプ本体１４０と、ランプ本体１４０の両側面に設けられる棒状のアーム部１３０と、ランプ本体１４０の上面に設けられるソケット部１５０と、を有する。
【００２６】
ランプ本体１４０の内部には、ＥＦＣ型ランプ１００を点灯させる点灯回路１１０が設けられる。点灯回路１１０は、インバータを備えた高周波点灯回路や、スタータ回路及び鉄心安定器を備えた商用周波数点灯回路等を用いることができる。
【００２７】
ＥＦＣ型ランプ１００は、環状の蛍光灯であり、球状の白熱灯に比較してスリムな形状である。ＥＦＣ型ランプ１００は、ソケット部１５０を介して一般の電球用口金（２６Ｅ口金）に取り付けができる。また、ＥＦＣ型ランプ１００の消費電力は２２Ｗと控えめであり、定格寿命は約９０００時間と超寿命である。ＥＦＣ型ランプ１００がスリムな形状であるから、照明器具９００も鉛直方向にスリムに形成できる。そのため、照明器具９００を天井に設けても天井の空間を広く利用できる。
【００２８】
図６に示すように、ランプ本体１４０に設けられているソケット部１５０には電源線１２４が接続され、ソケット部１５０からの電源線１２４が点灯回路１１０に接続され、この点灯回路１１０の出力がランプ部１２０に接続される。
【００２９】
（実施形態３）
図７に示すように、実施形態３に係る照明器具９００は、鉛直方向にそれぞれ異なる位置にある、上部ランプ装着部２５０と、下部ランプ装着部２６０と、を有する。上部ランプ装着部２５０が室内上方を照らし、下部ランプ装着部２６０室内下方を照らすことで、室内をまんべんなく明るく照らす。
【００３０】
上部ランプ装着部２５０は、本体部３００の上部に位置する支持部５００を介して設けられるランプ装着部２００である。上部ランプ装着部２５０は、本体部３００を中心にする円周上に均等に配置される３個のランプ装着部からなる。なお、図７では、図面を簡易化して理解を促進するために、上部ランプ装着部２５０のランプ装着部２００は１個しか図示していない。
【００３１】
下部ランプ装着部２６０は、本体部３００の下部に位置する支持部５００を介して設けられるランプ装着部２００である。下部ランプ装着部２５０も、本体部３００を中心にする円周上に均等に配置される３個のランプ装着部からなる。図７では、下部ランプ装着部２６０のランプ装着部２００は１個しか図示していない。
【００３２】
上部ランプ装着部２５０と下部ランプ装着部２６０との距離ｘは、５０ｍｍ以上１００ｍｍ以下とすることが好ましい。上部ランプ装着部２５０と下部ランプ装着部２６０との距離ｘが５０ｍｍよりも少ないと、室内を上方と下方とから照らす役割が小さくなる可能性があるからである。一方、上部ランプ装着部２５０と下部ランプ装着部２６０との距離ｘが１００ｍｍよりも多くなると、室内上部を照らす光りと室内下部を照らす光りとの間にコントラストが生じて違和感がある照明となる可能性があるからである。
【００３３】
（実施形態４）
〔点灯・消灯機能〕
図８（ａ）に示すように、実施形態４に係る照明器具９００は、本体部３００の内部に、リモコン受信機３１０と、点灯消灯制御部３２０と、を有する。リモコン受信機３１０は、リモコンからの信号を受信する。
【００３４】
図８（ｂ）に示すように、信号を受信したリモコン受信機３１０は、点灯消灯制御部３２０に点灯・消灯についての信号を送り、灯消灯制御部３２０は、個々のＥＦＣ型ランプの点灯回路１１０を動作させ、リモコンからの信号に基づいてランプ装着部２００の点灯・消灯を制御する。なお、図８（ｂ）では点灯回路１１０は一例として３個を記載している。
【００３５】
このため、室内にいる操作者は、照明器具９００から離れた位置からリモコンを操作して、照明器具９００のＥＦＣ型蛍光ランプ１００の点灯及び消灯を行うことができる。
【００３６】
例えば、上部ランプ装着部２５０及び下部ランプ装着部２６０のうち、上部ランプ装着部２５０の３個のＥＦＣ型ランプ１００を点灯させ、下部ランプ装着部２６０の３個のＥＦＣ型ランプ１００を消灯させることができる。かかる場合は、室内をシアター照明のような演色性ある照明で照らすことができる。
【００３７】
また、例えば、下部ランプ装着部２６０の３個のＥＦＣ型ランプ１００を点灯させ、上部ランプ装着部２５０の３個のＥＦＣ型ランプ１００を消灯させることができる。かかる場合は、室内下方をスポット的に点灯させる演色性ある照明を可能とするのみならず、生活空間に支障がない照明を可能とする。
【００３８】
また、例えば、複数設けられているランプ装着部２００のうちいずれか１個のＥＦＣ型ランプ１００のみを点灯させ、その他のＥＦＣ型ランプを全て消灯させることも可能である。かかる場合は、夜間の就寝中における補助照明として機能させることができる。また、室内に人がいない場合における防犯照明として機能させることができる。
【００３９】
なお、上部ランプ装着部２５０の点灯、下部ランプ装着部２６０の点灯、複数設けられているランプ装着部２００のうちいずれか１個のＥＦＣ型ランプ１００のみの点灯は、リモコンによる遠隔操作のみならず、照明器具９００に直接設けたスイッチ等で行うことも可能である。
【００４０】
〔タイマー機能〕
また、点灯消灯制御部３２０は、一定時間後にＥＦＣ型ランプ１００の消灯若しくは点灯をするタイマー機能を有することも可能である。
【００４１】
一定時間後にＥＦＣ型ランプ１００の点灯をするようにタイマーをセットすることにより、例えば帰宅時間に合わせて室内の照明が点灯するようにすることができる。
【００４２】
また、一定時間後にＥＦＣ型ランプ１００の消灯をするようにタイマーをセットすることにより、例えば就寝時間にあわせて室内の照明が消灯するようにすることができる。
【００４３】
なお、点灯消灯制御部３２０のタイマーセットは、リモコンによる遠隔操作のみならず、照明器具９００に直接設けたスイッチ等で行うことも可能である。
【００４４】
（実施形態５）
〔鉛直位置調節機能〕
図９（ａ）に示すように、実施形態５に係る照明器具９００は、本体部３００の内部に、リモコン受信機３１０と、リモコンからの信号に基づいてランプ装着部２００の鉛直方向の位置を制御する鉛直位置制御部３３０と、支持部５００を上昇・下降させるモータ３４０と、を有する。
【００４５】
図９（ｂ）に示すように、信号を受信したリモコン受信機３１０は、鉛直位置制御部３３０に鉛直位置の上昇・下降についての信号を送り、鉛直位置制御部３３０は、個々のＥＦＣ型ランプの鉛直方向の位置を上昇・下降させるモータ３４０を動作させ、リモコンからの信号に基づいてランプ装着部２００の上昇・下降を制御する。なお、図９（ｂ）ではモータ３４０は一例として３個を記載している。
【００４６】
例えば、照明器具９００の上部から見て、時計の１２時、４時、８時の方向にあるランプ装着部２００の鉛直位置を上方に移動させ、そして、時計の２時、６時、１０時の方向にあるランプ装着部２００の鉛直位置を下方に移動させることにより、上部ランプ装着部２５０及び下部ランプ装着部２６０を位置づけることができる。
【００４７】
また、例えば、複数設けられているランプ装着部２００のうちいずれか１個のみを上方向若しくは下方向に移動させることができる。
【００４８】
なお、ランプ装着部２００の上方向若しくは下方向の移動は、リモコンによる遠隔操作のみならず、照明器具９００に直接設けたスイッチ等で行うことも可能である。
【００４９】
（その他の実施形態）
ランプ装着部２００の下面に、透明若しくは半透明の樹脂で形成されたフードを設けることも可能である。フードを設けることにより、ＥＦＣ型ランプ１００に室内のほこりが付着することを防止できる。
【図面の簡単な説明】
【００５０】
【図１】実施形態１に係る照明器具の外観を説明する図である。
【図２】実施形態２に係る照明器具を斜め下方向から説明する図である。
【図３】実施形態２に係る照明器具を鉛直方向から説明する図である。
【図４】実施形態２に係る照明器具を水平方向から説明する図である。
【図５】ＥＦＣ型ランプを説明する図であり、そのうち（ａ）は上方からの外観を説明する図であり、（ｂ）は下方からの外観を説明する図である。
【図６】ＥＦＣ型ランプの配線図である。
【図７】実施形態３に係る照明器具を水平方向から説明する図である。
【図８】実施形態４に係る照明器具を説明する図であり、そのうち（ａ）は水平方向からの図であり、（ｂ）はブロック図である。
【図９】実施形態５に係る照明器具を説明する図であり、そのうち（ａ）は水平方向からの図であり、（ｂ）はブロック図である。
【符号の説明】
【００５１】
１００    ＥＦＣ型ランプ
１１０    点灯回路
１２０    ランプ部
１３０    アーム部
１４０    ランプ本体
１５０    ソケット部
２００    ランプ装着部
２５０    上部ランプ装着部
２６０    下部ランプ装着部
３００    本体部
３１０    リモコン受信機
３２０    点灯消灯制御部
３３０    鉛直位置制御部
４１０    ローゼットボディ
４２０    天井
５００    支持部
５１０    釣鐘部
５２０    吊下部
９００    照明器具
【図１】
2009087654.tif 000003
【図２】
2009087654.tif 000004
【図３】
2009087654.tif 000005
【図４】
2009087654.tif 000006
【図５】
2009087654.tif 000007
【図６】
2009087654.tif 000008
【図７】
2009087654.tif 000009
【図８】
2009087654.tif 000010
【図９】
2009087654.tif 000011